(57)【要約】【目的】  高い圧迫応答性を備えしかも圧縮気体発生装置を必要としない生体圧迫装置を提供する。【解決手段】  長手方向の長さが制御される超弾性合金製コイルスプリング（超弾性合金線材）２４を含むアクチュエータを有し、その超弾性合金製コイルスプリング２４に対する印加電流が制御されることによって上記生体圧迫装置１０に周方向の張力を発生させる張力発生装置２２が設けられているので、圧縮気体が供給されることにより圧迫作動させられる従来の圧迫装置に比較して、高い圧迫応答性が得られ、しかも空気ポンプやガスボンベ等の圧縮気体発生装置を必要としない利点がある。【選択図】                        図１
2005348904.tif 000002
【特許請求の範囲】
【請求項１】
生体の一部に巻回され、該生体の一部に対する圧迫圧制御が可能な生体圧迫装置であって、
長手方向の長さが制御される超弾性合金線材を含むアクチュエータを有し、該超弾性合金線材に対する印加電流が制御されることによって前記生体圧迫装置に周方向の張力を発生させる張力発生装置を、含むことを特徴とする生体圧迫装置。
【請求項２】
前記張力発生装置は、前記周方向において所定の間隔を隔てて配置された少なくとも１対のセグメントシートと、該一対のセグメントシートに両端部が接続された複数の前記アクチュエータとを備えたものである請求項１の生体圧迫装置。
【請求項３】
前記セグメントシートは、絶縁フィルムと、前記超弾性合金線材に電流を供給するために該絶縁フィルムの一面に形成され印刷配線とを備えたものである請求項２の生体圧迫装置。
【請求項４】
前記超弾性合金線材は超弾性合金製コイルスプリングであり、
前記アクチュエータは、前記超弾性合金製コイルスプリングと、該超弾性合金製コイルスプリングの変態点より低い温度での付勢力よりも大きく且つ変態点を超えた温度での付勢力よりも小さい付勢力を有し、該変態点より高い温度では該超弾性合金製コイルスプリングがその作動状態へ変形することを許容するが、該変態温度よりも低い温度では該超弾性合金製コイルスプリングを非作動状態に復帰させるバイアススプリングとを、備えたものである請求項１乃至３のいずれかの生体圧迫装置。
【請求項５】
前記張力発生装置の内周側に配設された基材シートと、
該基材シートおよびその外周側に配設された前記張力発生装置を包む外装シートと
該外装シートの周方向の一端部を他端部に着脱可能に固定するために該外装シートの一端部および他端部にそれぞれ設けられたファスナと
を、含むものである請求項１乃至４のいずれかの生体圧迫装置。
【請求項６】
前記外装シート内に配置され、非圧縮性流体が満たされた可撓性の流体収容袋と、
該流体収容袋内の非圧縮性流体の圧力を検出する圧力センサと
を、含むものである請求項５の生体圧迫装置。
【請求項７】
前記超弾性合金線材を含むアクチュエータは、前記基材シートを前記生体の一部に巻き付けるための張力を付与する巻付アクチュエータと、該基材シートを前記生体の一部に締めつけるための張力を付与する締付アクチュエータとを含むものである請求項５の生体圧迫装置。
【請求項８】
請求項６の生体圧迫装置を用いて前記生体の一部の動脈を止血状態とし、次いで該生体圧迫装置の圧迫圧力を徐々に低下させる過程で前記圧力センサにより得られる脈波の大きさの変化に基づいて該生体の血圧値を決定する血圧測定装置。
【発明の詳細な説明】
【技術分野】
【０００１】
本発明は、生体の一部に巻回されてその生体の一部を圧迫するための生体圧迫装置、および該生体の一部の圧迫圧を変化させる過程で得られる脈波の大きさに基づいてその生体の血圧値を測定する血圧測定装置に関するものである。
【背景技術】
【０００２】
生体の止血、生体の血行促進、生体の血圧測定等のために、生体の一部に巻回されてその生体の一部を圧迫する生体圧迫装置が知られている。たとえば、特許文献１、特許文献２に記載された生体圧迫装置がそれである。このような従来の生体圧迫装置は、たとえばカフと称されるものであって、ゴム製或いは合成樹脂製等の膨張可能袋を長手状腕帯内に備え、その膨張可能袋内に圧縮気体が供給されることによって生体の一部を圧迫するように構成されている。
【特許文献１】特開平０７−０２４３０３号公報
【特許文献２】特開昭６０−２３４６６９号公報
【発明の開示】
【発明が解決しようとする課題】
【０００３】
しかしながら、上記従来の生体圧迫装置では、空気或いは炭酸ガス等の圧縮気体が膨張袋内に供給されることによってその膨張袋の体積を増大させ、その膨張袋の体積増大による長手状腕帯の張力の増大により生体の一部を圧迫するように構成されていることから、生体の止血、血圧制御等のように生体の一部を速やかに圧迫することが要求される用途や、圧縮気体発生装置を継続的に用いることができない用途には、実用上使用できないという欠点があった。
【０００４】
本発明は以上の事情を背景として為されたものであり、その目的とするところは、高い圧迫応答性を備えしかも圧縮気体発生装置を必要としない生体圧迫装置、圧縮気体発生装置を必要としない自動血圧測定装置を提供することにある。
【課題を解決するための手段】
【０００５】
斯かる目的を達成するための請求項１に係る発明は、生体の一部に巻回され、その生体の一部に対する圧迫圧制御が可能な生体圧迫装置であって、長手方向の長さが制御される超弾性合金線材を含むアクチュエータを有し、その超弾性合金線材に対する印加電流が制御されることによって上記生体圧迫装置に周方向の張力を発生させる張力発生装置を、含むことを特徴とする。
【０００６】
また、請求項２に係る発明は、前記発明において、前記張力発生装置は、前記周方向において所定の間隔を隔てて配置された少なくとも１対のセグメントシートと、その一対のセグメントシートに両端部が接続された複数の前記アクチュエータとを備えたものであることを特徴とする。
【０００７】
また、請求項３に係る発明は、前記発明において、前記セグメントシートは、絶縁フィルムと、前記超弾性合金線材に電流を供給するためにその絶縁フィルムの一面に形成され印刷配線とを備えたものであることを特徴とする。
【０００８】
また、請求項４に係る発明では、前記超弾性合金線材は超弾性合金製コイルスプリングであり、前記発明において、前記アクチュエータは、前記超弾性合金製コイルスプリングと、その超弾性合金製コイルスプリングの変態点より低い温度での付勢力よりも大きく且つ変態点を超えた温度での付勢力よりも小さい付勢力を有し、その変態点より高い温度ではその超弾性合金製コイルスプリングがその作動状態へ変形することを許容するが、その変態温度よりも低い温度ではその超弾性合金製コイルスプリングを非作動状態に復帰させるバイアススプリングとを、備えたものであることを特徴とする。
【０００９】
また、請求項５に係る発明は、張力発生装置の内周側に配設された基材シートと、その基材シートおよびその外周側に配設された前記張力発生装置を包む外装シートと、その外装シートの周方向の一端部を他端部に着脱可能に固定するためにその外装シートの一端部および他端部にそれぞれ設けられた一対のファスナとを、含むことを特徴とする。
【００１０】
また、請求項６に係る発明は、前記外装シート内に配置され、非圧縮性流体が満たされた可撓性の流体収容袋と、その流体収容袋内の非圧縮性流体の圧力を検出する圧力センサとを、含むことを特徴とする。
【００１１】
また、請求項７に係る発明は、前記超弾性合金線材を含むアクチュエータは、ラチェット機構を有して前記基材シートを前記生体の一部に巻き付けるための張力を付与する巻付アクチュエータと、該基材シートを前記生体の一部に締めつけるための張力を付与する締付アクチュエータとを含むものである。
【００１２】
また、請求項８に係る発明は、上記の生体圧迫装置を用いて前記生体の一部の動脈を止血状態とし、次いでその生体圧迫装置の圧迫圧力を徐々に低下させる過程で前記圧力センサにより得られる脈波の大きさの変化に基づいてその生体の血圧値を決定する血圧測定装置であることを特徴とする。
【発明の効果】
【００１３】
請求項１に係る発明の圧迫装置によれば、生体の一部に巻回されてその生体の一部に対する圧迫圧制御が可能な生体圧迫装置において、長手方向の長さが制御される超弾性合金線材を含むアクチュエータを有し、その超弾性合金線材に対する印加電流が制御されることによって上記生体圧迫装置に周方向の張力を発生させる張力発生装置が設けられているので、圧縮気体が供給されることにより圧迫作動させられる従来の圧迫装置に比較して、高い圧迫応答性が得られ、しかも圧縮気体発生装置を必要としない。
【００１４】
また、請求項２に係る発明は、前記発明において、前記張力発生装置は、前記周方向において所定の間隔を隔てて配置された少なくとも１対のセグメントシートと、その一対のセグメントシートに両端部が接続された複数の前記アクチュエータとを備えたものであることから、アクチュエータによって１対のセグメントシートの間隔が変更されることによって前記圧迫装置に周方向の張力を発生させるので、高い圧迫応答性が得られ、しかも圧縮気体発生装置を必要としない。
【００１５】
また、請求項３に係る発明は、前記発明において、前記セグメントシートは、絶縁フィルムと、前記超弾性合金線材に電流を供給するためにその絶縁フィルムの一面に形成され印刷配線とを備えたものであるので、超弾性合金線材に電流を供給するためのリード線の少なくとも一部が省略され、厚み方向の構造が小型化されるとともに信頼性が高められる。
【００１６】
また、請求項４に係る発明は、前記発明において、前記超弾性合金線材は超弾性合金製コイルスプリングであり、前記アクチュエータは、その超弾性合金製コイルスプリングと、その超弾性合金製コイルスプリングの変態点より低い温度での付勢力よりも大きく且つ変態点を超えた温度での付勢力よりも小さい付勢力を有し、その変態点より高い温度ではその超弾性合金製コイルスプリングがその作動状態へ変形することを許容するが、その変態温度よりも低い温度ではその超弾性合金製コイルスプリングを非作動状態に復帰させるバイアススプリングとを、備えたものであることから、前記超弾性合金製コイルスプリングに対する電流制御によって張力発生方向と張力緩和方向との双方向の制御が電気的に可能となる。
【００１７】
また、請求項５に係る発明は、張力発生装置の内周側に配設された基材シートと、その基材シートおよびその外周側に配設された前記張力発生装置を包む外装シートと、その外装シートの周方向の一端部を他端部に着脱可能に固定するためにその外装シートの一端部および他端部にそれぞれ設けられた一対のファスナとを、含むことから、生体の一部に対する装着や取り外し作業が容易となり、高い操作性が得られる。
【００１８】
また、請求項６に係る発明は、前記外装シート内に配置され、非圧縮性流体が満たされた可撓性の流体収容袋と、その流体収容袋内の非圧縮性流体の圧力を検出する圧力センサとを、含むので、膨張袋を備えた従来の圧迫装置よりも厚み方向において小型となる。
【００１９】
また、請求項７に係る発明は、ラチェット機構を有して前記基材シートを前記生体の一部に巻き付けるための張力を付与する巻付アクチュエータと、該基材シートを前記生体の一部に締めつけるための張力を付与する締付アクチュエータとを含む超弾性合金線材を含むアクチュエータを備えたものであるので、巻き付けと締め付けとの役割分担によって巻付アクチュエータおよび締付アクチュエータのそれぞれの特性を容易に持たせることができる。
【００２０】
また、請求項７に係る発明は、上記の生体圧迫装置を用いて前記生体の一部の動脈を止血状態とし、次いでその生体圧迫装置の圧迫圧力を徐々に低下させる過程で前記圧力センサにより得られる脈波の大きさの変化に基づいて該生体の血圧値を決定する血圧測定装置である。これにより、圧縮気体発生装置を備えない血圧測定装置が得られるので、長時間の運動中の継続的な血圧測定が可能となる。
【発明を実施するための最良の形態】
【００２１】
ここで、好適には、前記超弾性合金線材は、必ずしもコイルスプリング状に巻回されたものでなくてもよく、一対のセグメントシート間で、所定の長さに切断された多数本の針金が並列状態で固定されることにより用いられてもよい。
【００２２】
また、前記生体圧迫装置において、アクチュエータの形態は種々のものがあり得る。たとえば、そのアクチュエータに用いられる超弾性合金製コイルスプリングは、変態温度よりも低い温度の非作動状態では伸長した状態であるものが用いられてもよい。この場合、バイアススプリングはその超弾性合金製コイルスプリングを伸長させる方向に付勢するように設けられる。しかし、変態温度よりも低い温度の非作動状態では収縮する状態である超弾性合金製コイルスプリングが用いられる場合は、バイアススプリングはその超弾性合金製コイルスプリングを収縮させる方向に付勢するように設けられる。
【００２３】
また、前記外装シートの一端部と他端部とを着脱可能に連結するファスナは、着脱可能に連結するよく知られた連結金具であってもよい。
【００２４】
また、前記袋状の外装シートの内周側を構成するシートが前記基材シートをかねたものであってもよい。この場合、袋状の外装シート内には基材シートが省略される。
【００２５】
また、前記アクチュエータおよびそれが連結するセグメントシートは、設計上の伸縮長さ等に応じて前記圧迫装置の周方向において適数設けられる。
【００２６】
また、流体収容袋内の非圧縮性流体の圧力を検出する圧力センサは、その流体収容袋内に設けられてもよいし、非圧縮性流体の圧力検出可能な状態たとえば非圧縮性流体が連通する状態で、その流体収容袋の外側に設けられてもよい。
【実施例】
【００２７】
以下、本発明の実施の形態を図面に基づいて詳細に説明する。図１は本発明が適用された上腕用の生体圧迫装置１０の構成を説明する斜視図であり、図２はその生体圧迫装置１０の縦断面図である。
【００２８】
図１および図２において、生体圧迫装置１０は、全体として帯状を成し、矩形状或いは長手状の外装シート１２を備えている。この外装シート１２は、矩形状の内周側シート部材１２ａおよび矩形状の外周側シート部材１２ｂの外周縁部が縫製或いは溶着等によって閉じられることにより袋状とされている。この袋状の外装シート１２の一端部すなわち外周側端部１４の内周面と他端部すなわち内周側端部１６の外周面とには、細かな鉤状突起および細かなループ状繊維を備えて互いに着脱可能に互いに接着される一対のファスナ１８ａおよび１８ｂが縫製、接着、或いは溶着等によりそれぞれ固定されている。上記内周側シート部材１２ａおよび外周側シート部材１２ｂは、たとえば合成繊維から織られた布状シートから構成される。
【００２９】
上記袋状の外装シート１２内には、それよりも僅かに小さな矩形状或いは長手状の比較的剛性の高い基材シート２０が収容されている。この基材シート２０は、生体圧迫装置１０の形状を保持するための部品であって、剛性繊維から織られた布状シート或いは樹脂シートから構成される。また、外装シート１２内において、上記基材シート２０の外側には、長手方向の長さが制御される複数本の超弾性合金製コイルスプリング２４を有し、円筒状に巻回された状態の生体圧迫装置１０に電気制御によって周方向の張力を発生させるための張力発生装置２２が設けられている。
【００３０】
この張力発生装置２２は、締付用アクチュエータとして機能する複数本の超弾性合金製コイルスプリング２４と、周方向において複数に分割されることにより所定の間隔を隔てて配置された少なくとも１対、通常は複数対のセグメントシート２６とを備え、それら少なくとも１対のセグメントシート２６の互いに近接する端縁部に上記複数本の超弾性合金製コイルスプリング２４がそれぞれ並列的に連結されて構成されている。このように構成された張力発生装置２２は、その両端部が外装シート１２の両端部に対して縫製、接着、溶着等により、好適にはファスナ１８ａおよび１８ｂと共に固定されている。
【００３１】
上記セグメントシート２６は、たとえばポリイミド製の絶縁フィルムから構成され、その一面たとえば外周面には、上記超弾性合金製コイルスプリング２４に電流を供給するためのプリント配線２８が形成されている。超弾性合金製コイルスプリング２４は、そのプリント配線２８と電気的に導通するようにセグメントシート２６に連結されている。
【００３２】
上記超弾性合金製コイルスプリング２４は、変態温度より高い温度において原形状に復帰する形状記憶機能或いは超弾性機能を有する合金たとえばＴｉ−Ｎｉ合金から構成されている。本実施例の超弾性合金製コイルスプリング２４は、通電されることによって変態温度よりも高くされると元形状に復帰させられ、生体圧迫装置１０の巻き付け時に比較して、その長さが収縮させられるように設定されている。したがって、上記張力発生装置２２は、生体圧迫装置１０の巻き付け状態において、超弾性合金製コイルスプリング２４に電流が供給されることにより、その全長が収縮させられて生体圧迫装置１０に張力を発生させ、その生体圧迫装置１０の圧迫作用を急速に発生させる。
【００３３】
また、図２に詳しく示すように、上記生体圧迫装置１０の袋状の外装シート１２内において、その内周側シート部材１２ａと基材シート２０との間には、水、油等の非圧縮性流体３０が閉じ込められた流体収容袋３２が設けられている。この流体収容袋３２内にはその非圧縮性流体の圧力を検出するための圧力センサ３４が設けられており、生体圧迫装置１０により巻回された生体の一部内の動脈から発生する脈波が検出されるようになっている。本実施例では、それら非圧縮性流体３０を収容する流体収容袋３２および圧力センサ３４が脈波検出装置を構成している。
【００３４】
以上のように構成された本実施例の生体圧迫装置１０によれば、長手方向の長さが制御される超弾性合金製コイルスプリング（超弾性合金線材）２４を含む締付用アクチュエータを有し、その超弾性合金製コイルスプリング２４に対する印加電流が制御されることによって上記生体圧迫装置１０に周方向の張力を発生させる張力発生装置２２が設けられているので、圧縮気体が供給されることにより圧迫作動させられる従来の圧迫装置に比較して、高い圧迫応答性が得られ、しかも空気ポンプやガスボンベ等の圧縮気体発生装置を必要としない利点がある。
【００３５】
また、本実施例の生体圧迫装置１０によれば、張力発生装置２２は、その生体圧迫装置１０の周方向において所定の間隔を隔てて配置された少なくとも１対のセグメントシート２６と、その一対のセグメントシート２６に両端部が接続された複数の前記締付用アクチュエータ（超弾性合金製コイルスプリング２４）とを備えたものであることから、その締付用アクチュエータによって１対のセグメントシート２６の間隔が変更されることによって圧迫装置１０に周方向の張力を発生させるので、高い圧迫応答性が得られ、しかも空気ポンプやガスボンベ等の圧縮気体発生装置を必要としない。
【００３６】
また、本実施例の生体圧迫装置１０によれば、セグメントシート２６は、絶縁シートと、前記超弾性合金線材に電流を供給するためにその絶縁シートの一面に形成され印刷配線とを備えたものであるので、超弾性合金線材に電流を供給するためのリード線の少なくとも一部が省略され、厚み方向の構造が小型化されるとともに信頼性が高められる。
【００３７】
また、本実施例の生体圧迫装置１０では、張力発生装置２２の内周側に配設された基材シート２０と、その基材シート２０およびその外周側に配設された前記張力発生装置２２を包む外装シート１２と、その外装シート１２の周方向の一端部を他端部に着脱可能に固定するためにその外装シートの一端部および他端部にそれぞれ設けられた一対のファスナ１８ａおよび１８ｂとを、含むことから、生体の一部に対する装着や取り外し作業が容易となり、高い操作性が得られる。
【００３８】
また、本実施例の生体圧迫装置１０では、外装シート１２内に配置され、非圧縮性流体３０が満たされた可撓性の流体収容袋３２と、その流体収容袋３２内の非圧縮性流体３０の圧力を検出する圧力センサ３４とを、含むので、膨張袋を備えた従来の圧迫装置よりも厚み方向において小型となる。
【００３９】
図３は、上記のように構成された生体圧迫装置１０を備えた自動血圧測定装置４０の構成を説明する図である。たとえば上腕に巻きつけられた生体圧迫装置１０では、一対のセグメントシート２６の間に配置された複数本（本実施例では５本）の超弾性合金製コイルスプリング２４が並列接続されている。電源装置４２は、電源ラインに接続される交流電源回路或いは蓄電装置などから構成され、前記生体圧迫装置１０の圧迫作動の駆動電源電圧を出力する。電流制御回路４４は、電子制御装置４６からＩ／Ｏポート４８を介して供給される指令信号に従って上記超弾性合金製コイルスプリング２４に供給される電流を制御御する。
【００４０】
圧力センサ３４は、生体圧迫装置１０の圧迫圧力ＰK を検出してその圧迫圧力ＰK を表す圧力信号SPを静圧弁別回路５０および脈波弁別回路５２にそれぞれ供給する。静圧弁別回路５０はローパスフィルタを備えており、圧力信号SPに含まれる定常的な圧力すなわち生体圧迫装置１０の圧迫圧力ＰK を表すカフ圧信号SCを弁別して、そのカフ圧信号SCをＡ／Ｄ変換器５４を介して電子制御装置４６へ供給する。脈波弁別回路５２はバンドパスフィルタを備えており、圧力信号SPの振動成分であるカフ脈波信号SM1 を弁別して、そのカフ脈波信号SM1 をＡ／Ｄ変換器５４を介して電子制御装置４６へ供給する。このカフ脈波信号SM1 は上腕脈波wbを表す。
【００４１】
電子制御装置４６は、ＣＰＵ８０，ＲＯＭ８２，ＲＡＭ８４，および図示しないＩ／Ｏポート等を備えた所謂マイクロコンピュータにて構成されており、ＣＰＵ８０は、ＲＯＭ８２に予め記憶されたプログラムに従ってＲＡＭ８４の記憶機能を利用しつつ信号処理を実行することにより、Ｉ／Ｏポート４８から駆動信号を出力して電流制御回路４４の出力電流或いは出力電圧を制御する。ＣＰＵ８０は、上記電流制御回路４４の出力電流或いは出力電圧を制御することにより生体圧迫装置１０の圧迫圧力ＰK を制御し、上腕動脈の最高血圧以上の圧迫圧を発生させてその動脈を止血させた後と、徐々にその圧迫圧を減少させる過程で脈波信号を読み込む。ＣＰＵ８０は、電子制御装置３２に供給される脈波信号の大きさあるいは振幅に基づいて演算処理を実行することにより、いわゆるオシロメトリック法によって血圧測定を実行し、測定結果を表示器８６に表示する。たとえば、圧迫圧を減少させる過程で脈波信号の大きさの差分値が最初に極大となったときの圧迫圧力ＰK を最高血圧とし、次に極大となったときの圧迫圧力ＰK を最低血圧とする。
【００４２】
上記のように構成された自動血圧測定装置４０によれば、上記の生体圧迫装置１０を用いてそれが巻きつけられた生体の一部（上腕）の動脈を止血状態とし、次いでその生体圧迫装置１０の圧迫圧力を徐々に低下させる過程で圧力センサ３４により得られる脈波の大きさの変化に基づいて生体の血圧値を決定することから、空気ポンプやガスボンベ等の圧縮気体発生装置を備えない血圧測定装置が得られるので、長時間の運動中の継続的な血圧測定等が可能となる。
【００４３】
図４及び図５は、張力発生装置２２に設けられる他の締付用アクチュエータ９０の構成をを説明するものであって、図４は側面図、図５は平面図である。図４および図５において、締付用アクチュエータ９０は、１対のセグメントシート２６の互いに近接する端縁部にそれぞれ並列的に連結され、一方のセグメントシート２６に固定されたフレーム９２と、そのフレーム９２に固定された一対のガイド板９４によって長手方向に案内されるロッド９６と、そのロッド９６の先端部に固定されて他方のセグメントシート２６に固定されたブラケット９８と、上記一対のガイド板９４の間においてロッド９６に固定されたばね受板１００と一方のセグメントシート２６のガイド板９４との間に介挿されたバイアススプリング１０２と、上記一対のガイド板９４の間においてロッド９６に固定されたばね受板１００と他方のセグメントシート２６のガイド板９４との間に介挿された超弾性合金製コイルスプリング１０４とを備えている。超弾性合金製コイルスプリング１０４は、変体点よりも高い温度となると元形状の伸張状態（作動状態）に復帰させられるものである。上記バイアススプリング１０２は、超弾性合金製コイルスプリング１０４の変態点より低い温度での付勢力よりも大きく且つ変態点を超えた温度での付勢力よりも小さい付勢力を有し、その変態点より高い温度ではその超弾性合金製コイルスプリング１０４がその作動状態へ変形することを許容するが、その変態温度よりも低い温度ではその超弾性合金製コイルスプリング１０４を非作動状態に復帰させる。
【００４４】
また、本実施例の締付用アクチュエータ９０が超弾性合金製コイルスプリング２４に代えて生体圧迫装置１０では、クチュエータ９０は、その超弾性合金製コイルスプリング１０４と、その超弾性合金製コイルスプリング１０４の変態点より低い温度での付勢力よりも大きく且つ変態点を超えた温度での付勢力よりも小さい付勢力を有し、その変態点より高い温度ではその超弾性合金製コイルスプリング１０４がその作動状態へ変形することを許容するが、その変態温度よりも低い温度ではその超弾性合金製コイルスプリング１０４を非作動状態に復帰させるバイアススプリング１０２とを、備えたものであることから、超弾性合金製コイルスプリング１０４に対する電流制御によって張力発生方向と張力緩和方向との双方向の制御が電気的に可能となる。
【００４５】
図６は、前記生体圧迫装置１０において、前記締付用アクチュエータ９０に加えて設けられる巻付用アクチュエータ１１０の一例を示している。巻付用アクチュエータ１１０は、前記締付用アクチュエータ９０と同様に構成された往復アクチュエータ１１２と、その往復アクチュエータ１１２によって往復駆動される可動爪１１４ａおよび固定爪１１４ｂと、その可動爪１１４ａおよび固定爪１１４ｂを掛け止める複数の爪１１６が連ねられた係合部材１１８とから構成される。上記往復アクチュエータ１１２によって往復駆動される可動爪１１４ａおよび固定爪１１４ｂはたとえば外装シート１２或いは基材シート２０の一端部に設けられ、上記係合部材１１８はたとえば外装シート１２或いは基材シート２０の他端部に設けられる。上記往復爪１１４と、その往復爪１１４を掛け止める複数の爪１１６が連ねられた係合部材１１８とがロック機構或いはラチェット機構を構成している。本実施例によれば、巻付用アクチュエータ１１０は、比較的小さい駆動力で生体圧迫装置１０の巻き付けを行い、所定の巻付位置でロックを行う一方で、締付用アクチュエータ９０は短いストロークであるが比較的大きな駆動力で専ら締め付けを行うことで、それぞれも目的に適合した特性を備えることができる。なお、図６において、上記締付用アクチュエータ９０が係合部材１１８から離れないように、係合部材１１８には、締付用アクチュエータ９０側に設けられた図示しないガイド突起を嵌め入れて生体圧迫装置１０の長手方向に案内する案内溝１２０が設けられている。
【００４６】
以上、本発明の実施形態を図面に基づいて詳細に説明したが、本発明はその他の態様においても適用される。
【００４７】
前述の生体圧迫装置１０は、生体の止血、透析中の血圧降下にたいする急速血圧回復のための圧迫制御にも用いられ得る。
【００４８】
また、前述の締付用アクチュエータ９０において、そのアクチュエータ９０に用いられる超弾性合金製コイルスプリング１０４は、変態温度よりも低い温度の非作動状態では伸長した形状であるものが用いられてもよい。この場合、バイアススプリング１０２はその超弾性合金製コイルスプリング１０４を伸長させる方向に付勢するように設けられる。
【００４９】
また、前述の生体圧迫装置１０は、生体の上腕部に巻回するために帯状を成し得いたが、生体の腹部および下肢に巻回するためにパンツ状或いはスボン状に構成されてもよい。この場合には複数個の張力発生装置２２が並列的に配置される。
【００５０】
なお、本発明はその主旨を逸脱しない範囲においてその他種々の変更が加えられ得るものである。
【図面の簡単な説明】
【００５１】
【図１】本発明の一実施例の生体圧迫装置の構成を説明するための斜視図である。
【図２】図１の実施例の生体圧迫装置の構成を説明する縦断面図である。
【図３】図１の実施例の生体圧迫装置を備えた自動血圧測定装置ｒの構成を説明する回路図である。
【図４】図１の実施例の生体圧迫装置において用いられる他の締付用アクチュエータの構成を説明する側面図である。
【図５】図４の締付用アクチュエータの構成を説明する平面図である。
【図６】図４の締付用アクチュエータに加えて設けられる巻付用アクチュエータの構成を説明する図である。
【符号の説明】
【００５２】
１０：生体圧迫装置
１２：外装シート
１８ａ、１８ｂ：ファスナ
２０：基材シート
２２：張力発生装置
２４：超弾性合金製コイルスプリング（超弾性合金線材、アクチュエータ）
２６：セグメントシート
２８：印刷配線
３２：流体収容袋
３４：圧力センサ
４０：自動血圧測定装置
１０２：バイアススプリング
１０４：超弾性合金製コイルスプリング
１１０：巻付用アクチュエータ
【図１】
2005348904.tif 000003
【図２】
2005348904.tif 000004
【図３】
2005348904.tif 000005
【図４】
2005348904.tif 000006
【図５】
2005348904.tif 000007
【図６】
2005348904.tif 000008